(57)【要約】　　　（修正有）【課題】人が悲観的で否定的な言葉に注意を集中した時と、楽観的で肯定的な言葉に注意を集中した時に、前頭葉内部で起こる、脳血流の急激な減少や増加現象を踏まえ、それらの脳内状況の中での前頭葉の脳高次機能を測定する神経心理テストの実施方法を提供する。【解決手段】悲観的で否定的な意味の言葉と色の組み合わせによる二重課題の属性を持った注意集中識別課題を被験者に提示し、この時に人為的、自動的に前頭葉の額正面から脳血流が減少し、前頭葉がいわば貧血状態となる脳の性質を利用し、この状態での前頭葉の脳高次機能を測定し、楽観的で肯定的な意味の言葉と色の組み合わせによる二重課題の属性を持った注意集中識別課題を被験者に提示し、この時に人為的、自動的に前頭葉の額正面に脳血流が集中し増加する脳の性質を利用し、前頭葉が強く賦活した状態を作りだして、この時の前頭葉の脳高次機能を測定する。【選択図】　図１
2004065902.tif 000002
【特許請求の範囲】
【請求項１】
検査用紙上又はコンピュータなどの画面上に、例えば赤・青・黄・緑・黒などの２種類以上７種類以下の種類の色と、同じく例えば、ふあん・ゆううつ・かなしい・しんぱい・くるしい・しにたい、などの不安や憂鬱、心配等を意味し、悲観的で自己否定的な感情を表現した言葉（１）を２種類以上７種類以下用意し、用意したこれらの言葉をそれらの色で塗りつぶして二重課題を構成した着色言葉（２）を問題項目として配置し、例題項目（４）の解答欄（３）や本題項目（５）の解答欄（３−１）も同じく検査用紙上やコンピュータ画面上に配置して回答できるようにした検査問題を用い、被験者にこれらの着色言葉の問題項目と解答欄からなる検査問題を提示して行う神経心理テストの検査方法で、まず最初に一定の色と意味を組み合わせた着色言葉を、正解を示す例題項目（４）として被験者に提示して認識させ、次に本題項目（５）として、例題項目（４）とは異なり、今度は着色された色がランダム（無作為）に言葉に着色され、被験者に提示される順番や出現頻度もランダム（無作為）な順番や出現頻度となった着色言葉群で構成された本題項目（５）を横一列に１０個から３０個ほど配置し（６）、その下に本題項目（５）を横に一行ずつ行わせる方式の問題であることを示すためのアンダーライン（７）を引き、本題項目の行の先頭に１行目（８）、２行目（９）、３行目（１０）などと行目表示を記した本題項目（５）を、検査用紙、又は、コンピュータ画面に５行から３０行ほど本題項目（５）として印刷、又は、表示したものを被験者に提示し、最初に提示した一定の色と言葉を組み合わせをもつ例題項目（４）を、被験者に注意を集中して探索すべき識別課題（正解）として認識させ、後に続く本題項目（５）の中に、例題項目（４）と同一の色と形の組み合わせを持つ二重課題条件を備えた着色言葉を発見した時に、これを正解として識別して解答欄（３−１）をチェックし、印をつけて解答していく本題項目（５）の実施方法をとり、一定の制限時間内で、本題項目の１行目（８）から例題項目（４）と本題項目（５）の比較識別作業を開始させ、１行目（８）の注意を集中した探索が終わったら、次に２行目（９）の探索に入り、２行目の探索が終わったら３行目（１０）というように、１行ずつ注意の集中と探索を行わせる本題項目のやり方をもつ検査で、制限時間内の正答数を合計して被験者の総得点とし、試験状況や年齢別の平均得点・偏差などの統計情報と比較して、被験者の得点の程度に応じて評価ができる、感情的な意味を持つ着色言葉の識別課題を用いて前頭葉の脳高次機能を測定する神経心理テストの検査の方法。
【請求項２】
請求項１で記載された例題項目（４）や本題項目（５）に、ふあん・ゆううつ・かなしい・さびしい・しんぱい・くるしい・しにたい、などの悲観的で自己否定的な感情を表す意味の言葉（１）を使用するのではなく、例えば、うれしい、たのしい、しあわせ、あかるい、きぼう、あんしん、よろこび、などの幸福感や、楽観的で自己肯定的な感情を表す意味の言葉（１１）を２種類以上７種類以下用意し、それらの言葉を、用意した２種類以上７種類以下の色で塗りつぶして二重課題を構成した着色言葉（１６）を例題項目（４）や本題項目（５）に使用して、請求項１に記載されたやり方で行う検査の方法。
【請求項３】
請求項１や請求項２に記載された、悲観的で自己否定的な感情を表す意味の言葉（１）や、楽観的で自己肯定的な感情を表す意味の言葉（１１）の表記について、ひらがなで表記するのでなく、漢字を交えて表記する例題項目（４）や本題項目（５）の表記の方法。
【請求項４】
請求項１で記載された本題項目（５）の配置を横一列ではなく、縦一列に本題項目を配置して、着色言葉の識別作業を縦に行う検査の実施方法。
【請求項５】
請求項１で記載された例題項目（４）や本題項目（５）を、被験者に一度に提示するのではなく、一問ずつ提示したり、数問ずつ提示して行う検査の実施方法。
【請求項６】
請求項１に記載された本題項目（５）の行の先頭に行目表示（８）（９）（１０）等をつけず、又はアンダーライン（７）等を引かずに、被験者に例題項目（４）を提示するだけで、無作為な配列の本題項目（５）を提示し、このどの部分からでも着手することを黙認した検査の実施方法。
【請求項７】
請求項１や請求項２に記載された本題項目（５）の実施の仕方につき、被験者に任意にどの部分からでも、本題項目（５）の問題に着手させるのではなく、本題項目（５）に１行目（８）、２行目（９）、３行目（１０）等の行目表示や表題をつけて被験者に一行ずつ本題項目の探索を行わせ、最初の行の本題項目の探索が終わってから次の行の本題項目の探索に移るよう検査を行わせる検査実施の方法をとり、こうした検査の実施方法により、採点集計時に、被験者の解答の最終到達地点を知り、それ以前に発生した誤答解答や見落とし項目の数を集計して正答率の計算を行い、こうした数値を検査結果の評価の解釈に加える検査結果の評価方法。
【請求項８】
請求項１や請求項２に記載された本題項目（５）の回答の仕方につき、単に本題項目（５）を丸で囲むなどの解答をする検査の実施の方法。
【発明の詳細な説明】
【０００１】
【発明の属する技術分野】
本発明は神経心理テストして、人の前頭葉の脳機能の測定を行い、人の脳高次機能の診断を行う技術の分野に関する。
【０００２】
【従来の技術】
従来の神経心理テストについては、浜松医療センター脳神経外科医・金子満雄による「かなひろいテスト」（痴呆早期診断のためのスクリーニングテスト。金子満雄。老年期痴呆　Ｖｏｌ．５　Ｎｏ．４　１９９１−１０。を参照）や「色別漢字テスト」（ボケる脳の謎がとけた。前頭前野が教える痴呆対策。金子満雄医。ＮＨＫ出版。１９９８。を参照）等があり、また、色を使った脳の賦活特性に関する実験や研究としては、マイケル・ポスナー等によるストループ効果の実験（脳を観る。日系サイエンス社。Ｍ・Ｉ・ポスナー／Ｍ・Ｅ・レイクル）に関する記述や、「感性と痴呆に関するフィージビリテイスタデイ」（第三回全国早期痴呆研究会。志村・井口・金子。２００１年８月２５日）らの研究があった。
【０００３】
【発明が解決しようとする課題】
従来の神経心理テストの最大の関心事は、そのテスト課題を実施して賦活される脳の部位と、その部位で代謝が起きて情報処理されるその脳の部位の能力評価にあり、例えば「かなひろいテスト」では、額正面の眼窩上皮質（両眉毛の奥）や腹内側部（眉間部分）、前頭葉の左背外側部（ブロードマン４６野・左こめかみ部分）等の前頭葉の主要３カ所が賦活され、その脳の部位が賦活し代謝が起きた時の、その部位の能力が測定されることに関心が集中し（有意味かなひろいテストの意義。根本樹宏。平成１２年８月１２日。第２回全国早期痴呆研究会。真興交易（株）医書出版部を参照。）、「色別漢字テスト」などでも、賦活させる前頭葉の部位を額正面からやや右寄りに修正しようと、賦活部位を選択的に変化させることを目的としたものであった。
本発明ではこれらの神経心理テスト実施時の目的や発想を根本的に変え、人が悲観的な言葉に注意を集中した時と、楽観的な言葉に注意を集中した時に対応して起きる、前頭葉の脳血流の極端な減少や賦活増加活動に注目し、それぞれの場合での前頭葉の脳高次機能を測定しようとするものである。人は悲観的で否定的な言葉に注意を集中した時は、前頭葉から脳血流が減少し、前頭葉が全く賦活しない状態がつくり出され（１７）、逆に人が楽観的で肯定的な言葉に注意を集中した時は、前頭葉に脳血流が集中し、強く賦活する状態がつくり出される（１８）。こうした前頭葉の脳血流の急激な減少や脳血流の増加賦活状態が、悲観的で否定的な言葉や、楽天的で肯定的な言葉を課題要素に導入することで、人為的、自動的に作り出せるため、こうした脳の性質を利用し、悲観的（前頭葉の脳血流減少）、楽観的（前頭葉の脳血流増加）な両場面に対応する前頭葉の脳高次機能を測定しようとするものである。人が悲観的な気分を内語で語り、前頭葉から脳血流が減少した場合（１７）と、人が楽観的な気分を内語で語り、前頭葉に脳血流が増加した場合（１８）の２つの脳血流状態での前頭葉の脳高次機能や課題処理能力を測定しようとするものである。また言葉を変えれば、人がこれらの悲観的、または、楽観的な言葉に注意を集中した時に、人がこれらの感情的な言葉にどの程度とらわれ、どの程度こだわりながら得点をあげるかの度合いを測定しようとするものである。
【０００４】
【課題を解決するための手段】
上記の課題を解決するため、本発明では神経心理テストに使用する問題項目として、請求項１や請求項２に記載した着色された色と悲観的な感情を表す言葉、または、着色された色と楽観的な感情を表す言葉を組み合わせた二重課題の属性を持つ着色言葉による問題項目を考案し、こうした着色された色と悲観的な意味の言葉、または、着色された色と楽観的な意味の言葉を組み合わせて二重課題とした属性をもつ問題項目を、最初に正解例を示す例題項目（４）として被験者に提示し、次に本題項目（５）を被験者に提示して、その例題項目（４）に例示された着色言葉との異同や相違の識別判断作業を被験者に行わせ、解答欄（３−１）に識別判断結果を記入させて行う方法の検査書を用い、例えば、第一番目の検査として、悲観的で否定的な意味の言葉を二重課題の検査要素に組み込んだ検査を実施した場合には、人の前頭葉から脳血流が減少して前頭葉がクールダウンし、いわば前頭葉が貧血状態となった状態（１７）での前頭葉の脳高次機能が測定でき、例えば、第二検査として、楽観的で肯定的な意味の言葉を二重課題の検査要素に組み込んだ検査を実施した場合には、前頭葉に脳血流が増加し、額全面が強く賦活した状態（１８）での前頭葉の脳高次機能が測定できるものである。
問題項目に、最初からネガテイブな情動を喚起する、悲観的で否定的な感情を意味する言葉を要素として導入した二重課題を問題として提示して、被験者に注意を集中させ、あるいは、問題項目に最初からポジテイブな情動を喚起する、楽観的で肯定的な感情を表す言葉を要素として導入した二重課題を問題として提示して被験者に提示して、検査を受ける気分状態や被験者の注意力をそれぞれ別の方向に色づけし、前頭葉の脳血流量を人為的に減少、または増加した状態を作りだすことで、この両条件下での前頭葉の課題処理能力を見ようとするものである。このため、悲観的で否定的な言葉を用いる検査と、楽観的で肯定的な言葉を用いる検査は、実施時は、例えば第一検査、第二検査として、両方を別々の検査として実施し、それぞれ社会集団で採取した統計データから算出された基本統計量と比較して、得点、または、偏差値評価をして両評価結果を比較し、また評価結果を統合的して、検査結果の解釈をたてるものである。
以上のような検査課題を用意し、検査方法をとることで、悲観的、楽観的場面に対応し、前頭葉の脳血流が減少した時（１７）と増加して賦活した時（１８）の人の前頭葉の脳高次機能が測定できる。
人間は物事に注意を集中した時に、一般的には前頭葉に脳血流が集中し、警戒態勢に入って作業課題をこなすが、注意集中課題に、ふあん、ゆううつ、かなしい、さびしい、しんぱい、しにたい等の悲観的で否定的な感情を表す言葉を用いた場合は、前頭葉の額正面全体から脳血流が引き、いわば前頭葉が貧血状態となった状態（１７）で作業課題に取り組む状態となる。こうした脳の性質を利用して、悲観的で自己否定的な思いに意識に集中させた状況での被験者の前頭葉の注意力や判断力等の脳高次機能が測定でき、また逆に、注意集中課題に、うれしい、たのしい、しあわせ、あかるい、よろこび、あんしん、らくちん等の楽観的で自己肯定的な感情を表す言葉を用いた場合は、前頭葉の額正面全体に脳血流が充満し、前頭葉全体が賦活した状態（１８）で作業課題をこなす。こうした脳の性質を利用して、楽観的で自己肯定的な気分条件に意識を集中させた場合の被験者の前頭葉の注意力や判断力等の脳高次機能が測定できる。被験者が検査実施者の指示に従い、本発明の悲観的、または、楽観的な感情を表す着色言葉に注意を集中した識別課題の判断作業を開始すると、前頭葉から、いわば、強制的に脳血流が減少した状態や、あるいは、人為的、自動的に前頭葉に脳血流が集中し前頭葉が強く賦活した状態を作りだすことができ、その状況での被験者の前頭葉の能力を測定できる。こうした気分状態を統制し、その気分条件での前頭葉の脳機能が測定できることは、従来になかった方法である。
本発明の問題項目となる、悲観的、または、楽観的な感情を表す着色された言葉の識別課題を用いて、前頭葉の脳高次機能を測定する検査の問題項目では、一定の色と、悲観的、あるいは、楽観的な意味を持つ言葉という二重課題の属性を持つ問題項目を、正解例を示す例題項目（４）として最初に被験者に提示し、次に本題となる問題項目（５）を被験者に提示して、例題項目（４）と同一の色と意味を持つ、感情を表す着色言葉の本題項目（５）を、制限時間を決めて、被験者に注意を集中して探索させ、発見した時に解答欄（３）に印をつけてチェックさせ、制限時間の中で発見できた正解の個数をテスト得点として、対応する気分条件での前頭葉の能力として評価しようとするものである。悲観的な言葉を用いた検査を仮に第一検査。楽観的な言葉を用いた検査を仮に第二検査とすると、両検査とも、得点は統計をとると年齢別に正規分布をするため、平均値、標準偏差と比較して、同年齢群の中での偏差値評価ができる。
【０００５】
【発明の実施の形態】
以下、本発明の実施の形態について述べる。
実施の形態は図１、または図２に示すような着色言葉を問題項目に用いた検査書を用いた検査の方法に関するものである。検査書の紙面上、あるいはコンピュータの画面上に、例えば赤・青・黄・緑・黒などの２種類以上７種類以下の種類の色と、同じく例えば、ふあん、ゆううつ、かなしい、しんぱい、くるしい、しにたいなどの２種類以上７種類以下の悲観的で否定的な感情を意味する言葉を組み合わせて、これを第一検査とし、また、上記の２種類以上７種類以下の種類の色と、うれしい、たのしい、しあわせ、あかるい、よろこび、あんしん、らくちん等の２種類以上７種類以下の楽観的で肯定的な感情を意味する言葉を組み合わせて、これを第二検査とし、それらの感情を表す言葉を、それらの色で塗りつぶして二重課題を構成した着色文字を配置する構成で、具体的には被験者に検査のやり方の例として提示する例題項目（４）と制限時間があり、本検査となる本題項目（５）。例題項目（４）に対応する解答欄（３）と本題項目に対応する解答欄（３−１）から検査は構成されており、さらに被験者個人を識別するために、受験番号（１２）や年齢（１３）、性別（１４）、氏名（１５）の記入欄を備えた形式の検査書を用いるものである。これらの項目が印刷、またはコンピュータ画面に表示された検査書を用い、被験者に最初に注意を集中して発見すべき正答例である一定の色と一定の意味を持つ言葉を組み合わせた着色言葉を例題項目（４）として被験者に最初に提示して認識させ、次に本題項目（５）として、例題項目（４）とは異なり、今度は着色された色がランダム（無作為）に各感情を表す言葉に着色され、被験者に提示される言葉の順番や出現頻度もランダム（無作為）な順番や出現頻度となった着色言葉群で構成された本題項目（５）を横一列に１０個から３０個ほど配置し（６）、その下に本題項目（５）を横に一行ずつ行わせる方式の問題であることを示すためのアンダーライン（７）を引き、本題項目の行の先頭に１行目（８）、２行目（９）、３行目（１０）などと行目表示（８）（９）（１０）を記した本題項目（５）を、検査用紙、又は、コンピュータ画面に５行から３０行ほど本題項目（５）として印刷、又は、表示したものを被験者に提示し、最初に提示した一定の色と形を組み合わせをもつ着色言葉である例題項目（４）を、被験者に注意を集中して探索すべき正解例を示す識別課題例として認識させ、後に続く本題項目（５）の中に、例題項目（４）と同一の色と意味を持つ言葉の組み合わせを持った二重課題条件を備えた着色言葉を発見した時に、これを正解として識別して解答欄（３−１）をチェックし、印をつけて解答していく本題項目（５）の実施方法をとり、一定の制限時間内で、本題項目の１行目（８）から例題項目（４）と本題項目（５）の比較識別作業を開始させ、１行目（８）の注意を集中した探索が終わったら、次に２行目（９）の探索に入り、２行目の探索が終わったら３行目（１０）というように、１行ずつ注意の集中と探索を行わせる本題項目のやり方をもつ検査で、制限時間内の正答数を合計して被験者の総得点とし、試験状況や年齢別の平均得点・偏差などの統計情報と比較して、被験者の得点の程度に応じて評価ができる、着色された文字の識別課題を用いて前頭葉の脳高次機能を測定する神経心理テストの検査の方法である。
【０００６】
なお、本発明においては、実施の形態を上記のように具体的に示したものに限らず、別の実施の形態、変形例とすることができる。すなわち検査方法を実施するための検査書の用紙の材質、大きさ、形状また回答方法は限定されない。また、例題項目（４）や本題項目（５）に使用される二重課題の着色言葉に使用される色の種類や色彩、使用される感情を表す言葉や文字の意味の種類は悲観的、あるいは楽観的な感情を表現したものであれば、例としてあげたものに限定されない。
【０００７】
また上記本発明においては、所定の用紙上の解答欄（３−１）に被験者が筆記用具を用いて答える形式のものであるが、これに限らず、コンピュータを用いてその画面の中に映像として、色と悲観的な言葉、または、色と楽観的な言葉の組み合わせから構成される二重課題の着色言葉を、例題項目（４）や本題項目（５）として表示しておき、被験者がこの画面を見ながら検査を画面上の解答欄にチェックする解答する形で実施することもできる。
【０００８】
【発明の効果】
以上説明したように本発明は、請求項１や請求項２に記載した方法で実施されれば、以下に記載されるような効果を奏する。
【０００９】
着色された色と悲観的な意味の言葉を組み合わせて二重課題とした場合は、悲観的で否定的な感情を表す言葉に被験者の注意は集中することになり、こうした時に人の前頭葉からは脳血流が減少して、前頭葉の額正面がいわば貧血状態となった状態（１７）で作業課題をこなす。こうして心理的には不安や憂鬱、心配や悲しみなどの否定的な感情を内語でつぶやく状態を作りだし、脳医学的には前頭葉から酸素を持った脳血流が引いて、前頭葉が賦活しない状態（１７）での注意力や判断力を測定することができる。
【０００１０】
着色された色と楽観的な意味の言葉を組み合わせて二重課題とした場合は、楽観的で肯定的な感情を表す言葉に被験者の注意は集中することになり、こうした時に人の前頭葉では人為的、自動的に脳血流が増加して、前頭葉の額正面に酸素を持った脳血流が集中した状態（１８）で作業課題をこなす。こうして心理的には喜びや安心、希望などの肯定的な感情を内語でつぶやく状態を作りだし、脳医学的には前頭葉に脳血流が集中して賦活した状態（１８）での前頭葉の注意力や判断力を測定することができる。
【０００１１】
こうして測定され得点に変換された悲観的状況での前頭葉の能力や楽観的状況での前頭葉の能力は、年齢別に多数の標本をとって正規分布した統計上の平均値や標準偏差と比較すれば、被験者の２つの心理状況での前頭葉の能力位置として偏差値に変換して表現することができ、こうした心理状況におかれた場面での前頭葉の能力を取り出して評価したものとして客観的に数値評価できる。
【０００１２】
こうして測定された悲観的心理状態に注意を集中した状況や楽観的心理状態に注意を集中した状況での能力の数値評価は、一次的には内語により繰り返し、悲観的な言葉や楽観的な言葉に注目した時の、前頭葉の注意力や識別能力を表すが、神経心理学的視点からは、こうして取り出された得点や偏差値などの数値評価は、ある心理状況に置かれた場合の、人の前頭葉の脳の高次機能の働きを表現していると考えられ、単に着色文字の着色された色や言葉の意味の識別能力を表すだけでなく、ある心理的状況における脳の高次機能を測定するものとして、意味や解釈を考えていくことができる。これらは脳の高次機能と記憶の想起との関係解明や性格や人格との関連について研究の可能性をひらく、新たな測定道具を提供するものである。
【０００１３】
本発明による脳高次機能の評価は、精神医学やカウンセリング等の分野に応用されれば、不安やうつ状態の程度やその改善等の程度を示す指標を提供することになり、心理学の分野に応用されれば、新たな性格検査開発の有効な指標となる。また産業界で人事研修に応用されれば結果が本人に還元されて心の健康や生活改善の有効な指標として社会に役立つと考えられる。
【図面の簡単な説明】
【図１】特許請求の範囲や課題を解決するための手段、発明の実施の形態に記載した検査書とその各部を示す図である。例では悲観的な言葉を用いた、いわば第一検査を示した図である。
【図２】特許請求の範囲や課題を解決するための手段、発明の実施の形態に記載した検査書とその各部を示す図である。例では楽観的な言葉を用いた、いわば第二検査を示した図である。
【図３】課題を解決するための手段に記載した、悲観的な言葉を用いた本発明を被験者に実施している時に、脳血流の減少が起こる前頭葉の様子を、光トポグラフィー装置（脳血流代謝測定装置・日立メデイコ製・ＥＴＧ−１００）を被験者の額正面に装着して示した図である。
【図４】課題を解決するための手段に記載した、楽観的な言葉を用いた本発明を被験者に実施している時に、脳血流の増加が起こる前頭葉の様子を、光トポグラフィー装置（脳血流代謝測定装置・日立メデイコ製・ＥＴＧ−１００）を被験者の額正面に装着して示した図である。
【符号の説明】
１．悲観的で否定的な感情を表現した言葉の例である。
２．色と悲観的な意味の言葉で二重課題を構成した着色言葉の例。
３．例題項目の解答欄。
３−１．本題項目の解答欄。
４．例題項目。
５．本題項目。
６．本題項目を横一列に配置したところ。
７．アンダーライン。
８．１行目の行目表示。
９．２行目の行目表示。
１０．３行目の行目表示。
１１．楽観的で肯定的な感情を表す言葉の例である。
１２．受験番号の記入欄。
１３．年齢の記入欄。
１４．性別の記入欄。
１５．氏名の記入欄。
１６．色と楽観的な意味の言葉で二重課題を構成した着色言葉の例。
１７．人の前頭葉の額正面に光トポグラフィ（日立メデイコ製脳血流代謝測定装置ＥＴＧ−１００）の赤外線センサーを装着し、悲観的な言葉と色の二重課題を実施した時の、前頭葉額正面の脳血流の減少を示すトポ画像である。図では黒い部分の全てで脳血流が減少している様子が示されている。
１８．人の前頭葉の額正面に光トポグラフィ（日立メデイコ製脳血流代謝測定装置ＥＴＧ−１００）の赤外線センサーを装着し、楽観的な言葉と色の二重課題を実施した時の、前頭葉額正面の脳血流の増加を示すトポ画像である。図では黒い部分の全てで脳血流が集中し、酸素を持った脳血流が集まって賦活している様子が示されている。
【図１】
2004065902.tif 000003
【図２】
2004065902.tif 000004
【図３】
2004065902.tif 000005
【図４】
2004065902.tif 000006